(57)【特許請求の範囲】
【請求項１】
ＳＩＮＲ量子化区間に対応しＳＩＮＲ再構築用のＣＱＩテーブルが予め格納されている基地局に用いられるチャネル状態情報処理方法において、
ユーザ設備から返信される第１ＣＱＩであって、ユーザ設備が、参考信号を測定して取得する原始ＳＩＮＲに対してＳＩＮＲオフセット量を用いて調整して得る目標ＳＩＮＲに対して、上記ＣＱＩテーブルに基づいて量子化をして得たものである第１ＣＱＩを受信する工程と、
上記ＣＱＩテーブルと上記第１ＣＱＩに基づいて再構築して上記目標ＳＩＮＲを取得する工程と、
再構築して得た目標ＳＩＮＲと上記ＳＩＮＲオフセット量に基づいて、上記原始ＳＩＮＲを再構築して得る工程とを含むことを特徴とするチャネル状態情報処理方法。
【請求項２】
上記ＳＩＮＲオフセット量は、基地局によって決められ、
上記チャネル状態情報処理方法において、さらに、
上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにする工程を含むことを特徴とする請求項１に記載のチャネル状態情報処理方法。
【請求項３】
異なる伝送状態に対応する複数のＳＩＮＲオフセット量は、上記基地局に予め格納されており、
上記チャネル状態情報処理方法において、さらに、
上記ユーザ設備の現在の伝送状態に対応するＳＩＮＲオフセット量を上記複数のＳＩＮＲオフセット量から選択する工程を含むことを特徴とする請求項２に記載のチャネル状態情報処理方法。
【請求項４】
上記基地局は、ユーザ設備が測定して得たＲＳＲＱの値に基づいて上記ＳＩＮＲオフセット量を確定することを特徴とする請求項２に記載のチャネル状態情報処理方法。
【請求項５】
さらに、
基地局は、ユーザ設備からフィードバックされるＣＱＩを運行中に統計し、統計結果に基づいて上記ＳＩＮＲオフセット量を調整する工程を含むことを特徴とする請求項２に記載のチャネル状態情報処理方法。
【請求項６】
さらに、
基地局は、上記ＳＩＮＲオフセット量を外部から受信する工程を含むことを特徴とする請求項１に記載のチャネル状態情報処理方法。
【請求項７】
ＳＩＮＲ量子化区間に対応しＳＩＮＲをＣＱＩへマッピングするためのＣＱＩテーブルが予め格納されているユーザ設備に用いられるチャネル状態情報フィードバック方法において、
参考信号を測定して原始ＳＩＮＲを取得する工程と、
上記原始ＳＩＮＲに対して、ＳＩＮＲオフセット量を用いて調整し、目標ＳＩＮＲを取得する工程と、
目標ＳＩＮＲに対して、上記ＣＱＩテーブルに基づいて量子化をし、第１ＣＱＩを取得する工程と、
上記第１ＣＱＩを基地局にフィードバックし、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築できるようにする工程とを含むことを特徴とするチャネル状態情報フィードバック方法。
【請求項８】
上記ＳＩＮＲオフセット量は、ユーザ設備によって決められ、
上記第１ＣＱＩを基地局にフィードバックする工程には、さらに上記ＳＩＮＲオフセット量を基地局にフィードバックすることを特徴とする請求項７に記載のチャネル状態情報フィードバック方法。
【請求項９】
上記ユーザ設備は、測定して得たＳＩＮＲの値に基づいて上記ＳＩＮＲオフセット量を特定し、上記目標ＳＩＮＲが上記ＳＩＮＲ量子化区間内となるようにすることを特徴とする請求項８に記載のチャネル状態情報フィードバック方法。
【請求項１０】
上記ユーザ設備は、測定して得たＲＳＲＱの値に基づいて上記ＳＩＮＲオフセット量を確定することを特徴とする請求項８に記載のチャネル状態情報フィードバック方法。
【請求項１１】
さらに、
ユーザ設備は、上記ＳＩＮＲオフセット量を外部から受信する工程を含むことを特徴とする請求項７に記載のチャネル状態情報フィードバック方法。
【請求項１２】
ＳＩＮＲ量子化区間に対応しＳＩＮＲをＣＱＩへマッピングするためのＣＱＩテーブルが予め格納されている基地局とユーザ設備を含む通信システムに用いられるチャネル状態情報フィードバック方法において、
ユーザ設備が参考信号を測定して原始ＳＩＮＲを取得する工程と、
ユーザ設備が上記原始ＳＩＮＲに対して、ＳＩＮＲオフセット量を用いて調整し、目標ＳＩＮＲを取得する工程と、
ユーザ設備が目標ＳＩＮＲに対して、上記ＣＱＩテーブルに基づいて量子化をし、第１ＣＱＩを取得する工程と、
ユーザ設備が上記第１ＣＱＩを基地局にフィードバックする工程と、
基地局がユーザ設備からフィードバックされる上記第１ＣＱＩを受信する工程と、
基地局が上記ＣＱＩテーブルと上記第１ＣＱＩに基づいて再構築して上記目標ＳＩＮＲを取得する工程と、
基地局が再構築して得た目標ＳＩＮＲと上記ＳＩＮＲオフセット量に基づいて上記原始ＳＩＮＲを再構築して得る工程とを含むことを特徴とするチャネル状態情報フィードバック方法。
【請求項１３】
上記ＳＩＮＲオフセット量は、ユーザ設備によって決められ、
上記第１ＣＱＩを基地局にフィードバックする工程には、さらに上記ＳＩＮＲオフセット量を基地局にフィードバックすることを特徴とする請求項１２に記載のチャネル状態情報フィードバック方法。
【請求項１４】
上記ＳＩＮＲオフセット量は、基地局によって決められ、
上記チャネル状態情報フィードバック方法において、さらに、
上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにする工程を含むことを特徴とする請求項１２に記載のチャネル状態情報フィードバック方法。
【請求項１５】
ＳＩＮＲ量子化区間に対応しＳＩＮＲ再構築用のＣＱＩテーブルが予め格納されている基地局に用いられるチャネル状態情報処理装置において、
ユーザ設備からフィードバックされる第１ＣＱＩであって、ユーザ設備が、参考信号を測定して取得する原始ＳＩＮＲに対してＳＩＮＲオフセット量を用いて調整して得る目標ＳＩＮＲに対して、上記ＣＱＩテーブルに基づいて量子化をして得たものである第１ＣＱＩを受信するための第１受信モジュールと、
上記ＣＱＩテーブルと上記第１ＣＱＩに基づいて再構築して上記目標ＳＩＮＲを得るための第１再構築モジュールと、
再構築して得た目標ＳＩＮＲと上記ＳＩＮＲオフセット量に基づいて、上記原始ＳＩＮＲを再構築して得るための第２再構築モジュールとを含むことを特徴とするチャネル状態情報処理装置。
【請求項１６】
上記ＳＩＮＲオフセット量は、基地局によって決められ、
上記チャネル状態情報処理装置において、さらに、
上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにするための配信モジュールを含むことを特徴とする請求項１５に記載のチャネル状態情報処理装置。
【請求項１７】
異なる伝送状態に対応する複数のＳＩＮＲオフセット量は、上記基地局に予め格納されており、
上記チャネル状態情報処理装置において、さらに、
上記ユーザ設備の現在の伝送状態に対応するＳＩＮＲオフセット量を上記複数のＳＩＮＲオフセット量から選択するための第２選択モジュールを含むことを特徴とする請求項１６に記載のチャネル状態情報処理装置。
【請求項１８】
上記基地局は、ユーザ設備が測定して得たＲＳＲＱの値に基づいて上記ＳＩＮＲオフセット量を確定することを特徴とする請求項１６に記載のチャネル状態情報処理装置。
【請求項１９】
さらに、
ユーザ設備からフィードバックされるＣＱＩを基地局の運行中に統計し、統計結果に基づいて上記ＳＩＮＲオフセット量を調整するための調整モジュールを含むことを特徴とする請求項１６に記載のチャネル状態情報処理装置。
【請求項２０】
さらに、
上記ＳＩＮＲオフセット量を外部から受信するためのユニットを含むことを特徴とする請求項１５に記載のチャネル状態情報処理装置。
【請求項２１】
ＳＩＮＲ量子化区間に対応しＳＩＮＲをＣＱＩへマッピングするためのＣＱＩテーブルが予め格納されているユーザ設備に用いられるチャネル状態情報フィードバック装置において、
参考信号を測定して原始ＳＩＮＲを取得するための第１測定モジュールと、
上記原始ＳＩＮＲに対して、ＳＩＮＲオフセット量を用いて調整し、目標ＳＩＮＲを得るための調整モジュールと、
目標ＳＩＮＲに対して、上記ＣＱＩテーブルに基づいて量子化をし、第１ＣＱＩを得るための量子化モジュールと、
上記第１ＣＱＩを基地局にフィードバックし、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築できるようにするためのフィードバックモジュールとを含むことを特徴とするチャネル状態情報フィードバック装置。
【請求項２２】
上記ＳＩＮＲオフセット量は、ユーザ設備によって決められ、
上記フィードバックモジュールは、さらに上記ＳＩＮＲオフセット量を基地局にフィードバックすることを特徴とする請求項２１に記載のチャネル状態情報フィードバック装置。
【請求項２３】
上記ユーザ設備は、測定して得たＳＩＮＲの値に基づいて上記ＳＩＮＲオフセット量を特定し、上記目標ＳＩＮＲが上記ＳＩＮＲ量子化区間内となるようにすることを特徴とする請求項２２に記載のチャネル状態情報フィードバック装置。
【請求項２４】
上記ユーザ設備は、測定して得たＲＳＲＱの値に基づいて上記ＳＩＮＲオフセット量を確定することを特徴とする請求項２２に記載のチャネル状態情報フィードバック装置。
【請求項２５】
さらに、
上記ＳＩＮＲオフセット量を外部から受信するためのユニットを含むことを特徴とする請求項２１に記載のチャネル状態情報フィードバック装置。
【請求項２６】
請求項１５〜２０のいずれか一項に記載のチャネル状態情報処理装置を含むことを特徴とする基地局。
【請求項２７】
請求項２１〜２５のいずれか一項に記載のチャネル状態情報フィードバック装置を含むことを特徴とするユーザ設備。
【発明の詳細な説明】
【技術分野】
【０００１】
本発明は、移動通信システムにおける情報の伝達に係り、特にチャネル状態情報のフィードバック、処理方法および装置、並びにユーザ設備、基地局に関するものであり、基地局による正確なＳＩＮＲ（Signal  to  Interference  and  Noise  Ratio，信号対干渉雑音電力比，単位：デジベル（ｄＢ））再構築を可能とするものである。
【背景技術】
【０００２】
ブロードバンドアクセス技術の挑戦に対応し、日増しに増加する新型サービスのリクエストに答えられるよう、第３世代移動体通信システムの標準化団体（３ＧＰＰ，３rd  Generation  Partnership  Project）は、２００４年の末に３Ｇ  ＬＴＥ（Long  Term  Evolution）技術の標準化作業を開始した。さらなる周波数スペクトル効率の向上、セル境界ユーザ性能の改善、システム遅延の低下、高速移動ユーザへのより高いレートでのアクセスサービス提供などが望まれている。ＬＴＥ‐Ａ技術により、周波数スペクトル帯域幅が増大し、データレートが高まっており、より多くの移動ユーザに対して、より高いレート、より優れる性能のサービスを提供することができる。
【０００３】
ＬＴＥ標準の現バージョンにおいてより高い伝送レートをサポートするには、ユーザは、まず参考信号を測定してチャネル推定をしてＳＩＮＲ（Signal  to  Interference  and  Noise  Ratio，信号対干渉雑音電力比，単位：デジベル（ｄＢ））を取得する必要があり、それから取得したＳＩＮＲ情報をチャネル品質指標（Channel  Quality  Index，ＣＱＩ）にマッピングし、最後にＣＱＩを基地局側にフィードバックする。
【０００４】
基地局側において、ＣＱＩを取得した後に、量子化したＳＩＮＲの情報を再構築し、さらに、量子化したチャネルを再構築することにより、プリコーディング行列の設計に用いてユーザ間の干渉を減少させる。信号対干渉および雑音電力比ＳＩＮＲ（Signal  to  Interference  plus  Noise  Ratio）からＣＱＩへの相互マッピングを実現するには、各種類のＣＱＩのＳＩＮＲとＢＬＥＲ（Block  Error  Rate，ブロック誤差レート）との関係を表す曲線をユーザ側と基地局側の両方に格納する必要がある。量子化してＣＱＩを取得する過程において、ユーザ設備は、第１測定モジュールが測定した原始ＳＩＮＲに基づいて、曲線から対応するＢＬＥＲを取得し、ＢＬＥＲに対応する伝送容量最大なＣＱＩを選択してフィードバックを行う。上記の伝送容量は、ＣＱＩの周波数スペクトル効率と（１−ＢＬＥＲ）との積である。基地局側においてＳＩＮＲを再構築する際に、ユーザ設備からフィードバックされるＣＱＩに基づいて、曲線上のＢＬＥＲが０．１であるＳＩＮＲ値を再構築ＳＩＮＲとする。
【０００５】
ＬＴＥシステムでは、一義的かつ固定的な１６種類のＣＱＩの組み合わせ方式が定義されており、ＣＱＩのシーケンス番号で示される。該ＣＱＩテーブルは、３ＧＰＰプロトコル３６．２１３，Evolved  Universal  Terrestrial  Ratio  Access（E-UTRA）；Physical  Layer  Procedureを参照する。伝統的なＬＴＥシステムでは、主に同種ネットワーク（Homogeneous  Network，ＨｏｍＮｅｔ）におけるシングルセル伝送方法が考慮され、統計して得たＳＩＮＲ分布がＣＱＩテーブルと比較的にマッチしている。しかし、ＬＴＥ‐Ａシステムでは、協調マルチポイント送受信（Coordinated  Multiple  Point  Transmission，ＣｏＭＰ）および異種ネットワーク（Heterogeneous  Network，ＨｅｔＮｅｔ）の伝送方式が導入されている。
【０００６】
上記協調マルチポイント送受信および異種ネットワークの導入後、ＬＴＥ‐Ａシステムの基地局またはユーザ設備が異なる場面において稼働できる。しかし、各種類の場面でのＳＩＮＲ分布範囲がそれぞれ異なる。これにより、一部の場面において稼働する際に、ＳＩＮＲ分布は、ＣＱＩ量子化テーブルに対応するＳＩＮＲ量子化区間を超える可能性が出てくる。いったんＣＱＩ量子化テーブルに対応するＳＩＮＲ量子化区間を超えると、最小または最大のＣＱＩしか報告できないこととなる。基地局が該最小または最大のＣＱＩからＳＩＮＲを得ることは、ユーザ設備のＳＩＮＲの真実を反映できず、すなわち、間違った（または誤差が非常に大きい）ＳＩＮＲを再構築したこととなり、システム性能の低下に繋がる。
【発明の概要】
【発明が解決しようとする課題】
【０００７】
本発明の実施例の目的は、チャネル状態情報のフィードバック、処理方法および装置、並びにユーザ設備、基地局を提供することにより、一枚のＣＱＩテーブルの、ＳＩＮＲ分布区間が異なる各種類の場面での使用を可能とし、かつ基地局によるＳＩＮＲ再構築の正確率向上を可能とすることである。
【課題を解決するための手段】
【０００８】
上記目的を実現するために、本発明の実施例において、ＳＩＮＲ量子化区間に対応しＳＩＮＲをＣＱＩへマッピングするためのＣＱＩテーブルが予め格納されているユーザ設備に用いられるチャネル状態情報フィードバック方法を提供している。上記チャネル状態情報フィードバック方法において、
参考信号を測定して原始ＳＩＮＲを取得する工程と、
上記原始ＳＩＮＲに対して、ＳＩＮＲオフセット量を用いて調整し、目標ＳＩＮＲを取得する工程と、
目標ＳＩＮＲに対して、上記ＣＱＩテーブルに基づいて量子化をし、第１ＣＱＩを取得する工程と、
上記第１ＣＱＩを基地局にフィードバックし、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築できるようにする工程とを含むことを特徴とする。
【０００９】
上記チャネル状態情報フィードバック方法において、上記ＳＩＮＲオフセット量は、ユーザ設備によって決められ、上記第１ＣＱＩを基地局にフィードバックする工程には、さらに上記ＳＩＮＲオフセット量を基地局にフィードバックする。
【００１０】
上記チャネル状態情報フィードバック方法において、上記ユーザ設備は、測定して得たＳＩＮＲの値に基づいて上記ＳＩＮＲオフセット量を特定し、上記目標ＳＩＮＲが上記ＳＩＮＲ量子化区間内となるようにする。
【００１１】
上記チャネル状態情報フィードバック方法において、上記ユーザ設備は、測定して得たＲＳＲＱの値に基づいて上記ＳＩＮＲオフセット量を確定する。
【００１２】
上記チャネル状態情報フィードバック方法において、ユーザ設備は、上記ＳＩＮＲオフセット量を外部から受信する。
【００１３】
上記目的を実現するために、本発明の実施例において、ＳＩＮＲ量子化区間に対応しＳＩＮＲ再構築用のＣＱＩテーブルが予め格納されている基地局に用いられるチャネル状態情報処理方法を提供している。上記チャネル状態情報処理方法において、
ユーザ設備から返信される第１ＣＱＩであって、ユーザ設備が、参考信号を測定して取得する原始ＳＩＮＲに対してＳＩＮＲオフセット量を用いて調整して得る目標ＳＩＮＲに対して、上記ＣＱＩテーブルに基づいて量子化をして得たものである第１ＣＱＩを受信する工程と、
上記ＣＱＩテーブルと上記第１ＣＱＩに基づいて再構築して上記目標ＳＩＮＲを取得する工程と、
再構築して得た目標ＳＩＮＲと上記ＳＩＮＲオフセット量に基づいて、上記原始ＳＩＮＲを再構築して得る工程とを含む。
【００１４】
上記チャネル状態情報処理方法において、上記ＳＩＮＲオフセット量は、基地局によって決められ、さらに、上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにする工程を含む。
【００１５】
上記チャネル状態情報処理方法において、異なる伝送状態に対応する複数のＳＩＮＲオフセット量は、上記基地局に予め格納されており、さらに、上記ユーザ設備の現在の伝送状態に対応するＳＩＮＲオフセット量を上記複数のＳＩＮＲオフセット量から選択する工程を含む。
【００１６】
上記チャネル状態情報処理方法において、上記基地局は、ユーザ設備が測定して得たＲＳＲＱの値に基づいて上記ＳＩＮＲオフセット量を確定する。
【００１７】
上記チャネル状態情報処理方法において、基地局は、ユーザ設備からフィードバックされるＣＱＩを運行中に統計し、統計結果に基づいて上記ＳＩＮＲオフセット量を調整する。
【００１８】
上記チャネル状態情報処理方法において、基地局は、上記ＳＩＮＲオフセット量を外部から受信する。
【００１９】
上記目的を実現するために、本発明の実施例において、ＳＩＮＲ量子化区間に対応しＳＩＮＲをＣＱＩへマッピングするためのＣＱＩテーブルが予め格納されている基地局とユーザ設備を含む通信システムに用いられるチャネル状態情報フィードバック方法を提供している。上記チャネル状態情報フィードバック方法において、
ユーザ設備が参考信号を測定して原始ＳＩＮＲを取得する工程と、
ユーザ設備が上記原始ＳＩＮＲに対して、ＳＩＮＲオフセット量を用いて調整し、目標ＳＩＮＲを取得する工程と、
ユーザ設備が目標ＳＩＮＲに対して、上記ＣＱＩテーブルに基づいて量子化をし、第１ＣＱＩを取得する工程と、
ユーザ設備が上記第１ＣＱＩを基地局にフィードバックする工程と、
基地局がユーザ設備からフィードバックされる上記第１ＣＱＩを受信する工程と、
基地局が上記ＣＱＩテーブルと上記第１ＣＱＩに基づいて再構築して上記目標ＳＩＮＲを取得する工程と、
基地局が再構築して得た目標ＳＩＮＲと上記ＳＩＮＲオフセット量に基づいて上記原始ＳＩＮＲを再構築して得る工程とを含む。
【００２０】
上記チャネル状態情報フィードバック方法において、上記ＳＩＮＲオフセット量は、ユーザ設備によって決められ、さらに、上記第１ＣＱＩを基地局にフィードバックする工程には、さらに上記ＳＩＮＲオフセット量を基地局にフィードバックする。
【００２１】
上記チャネル状態情報フィードバック方法において、上記ＳＩＮＲオフセット量は、基地局によって決められ、さらに、上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにする工程を含む。
【００２２】
上記目的を実現するために、本発明の実施例において、ＳＩＮＲ量子化区間に対応しＳＩＮＲをＣＱＩへマッピングするためのＣＱＩテーブルが予め格納されているユーザ設備に用いられるチャネル状態情報フィードバック装置を提供している。上記チャネル状態情報フィードバック装置において、参考信号を測定して原始ＳＩＮＲを取得するための第１測定モジュールと、上記原始ＳＩＮＲに対して、ＳＩＮＲオフセット量を用いて調整し、目標ＳＩＮＲを得るための調整モジュールと、目標ＳＩＮＲに対して、上記ＣＱＩテーブルに基づいて量子化をし、第１ＣＱＩを得るための量子化モジュールと、上記第１ＣＱＩを基地局にフィードバックし、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築できるようにするためのフィードバックモジュールとを含む。
【００２３】
上記チャネル状態情報フィードバック装置において、上記ＳＩＮＲオフセット量は、ユーザ設備によって決められ、上記フィードバックモジュールは、さらに上記ＳＩＮＲオフセット量を基地局にフィードバックする。
【００２４】
上記チャネル状態情報フィードバック装置において、上記ユーザ設備は、測定して得たＳＩＮＲの値に基づいて上記ＳＩＮＲオフセット量を特定し、上記目標ＳＩＮＲが上記ＳＩＮＲ量子化区間内となるようにする。
【００２５】
上記チャネル状態情報フィードバック装置において、上記ユーザ設備は、測定して得たＲＳＲＱの値に基づいて上記ＳＩＮＲオフセット量を確定する。
【００２６】
上記チャネル状態情報フィードバック装置において、さらに、上記ＳＩＮＲオフセット量を外部から受信するためのユニットを含む。
【００２７】
上記目的を実現するために、本発明の実施例において、ＳＩＮＲ量子化区間に対応しＳＩＮＲ再構築用のＣＱＩテーブルが予め格納されている基地局に用いられるチャネル状態情報処理装置を提供している。上記チャネル状態情報処理装置において、ユーザ設備からフィードバックされる第１ＣＱＩであって、ユーザ設備が、参考信号を測定して取得する原始ＳＩＮＲに対してＳＩＮＲオフセット量を用いて調整して得る目標ＳＩＮＲに対して、上記ＣＱＩテーブルに基づいて量子化をして得たものである第１ＣＱＩを受信するための第１受信モジュールと、上記ＣＱＩテーブルと上記第１ＣＱＩに基づいて再構築して上記目標ＳＩＮＲを得るための第１再構築モジュールと、再構築して得た目標ＳＩＮＲと上記ＳＩＮＲオフセット量に基づいて、上記原始ＳＩＮＲを再構築して得るための第２再構築モジュールとを含む。
【００２８】
上記チャネル状態情報処理装置において、上記ＳＩＮＲオフセット量は、基地局によって決められ、さらに、上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにするための配信モジュールを含む。
【００２９】
上記チャネル状態情報処理装置において、異なる伝送状態に対応する複数のＳＩＮＲオフセット量は、上記基地局に予め格納されており、さらに、上記ユーザ設備の現在の伝送状態に対応するＳＩＮＲオフセット量を上記複数のＳＩＮＲオフセット量から選択するための第２選択モジュールを含む。
【００３０】
上記チャネル状態情報処理装置において、上記基地局は、ユーザ設備が測定して得たＲＳＲＱの値に基づいて上記ＳＩＮＲオフセット量を確定する。
【００３１】
上記チャネル状態情報処理装置において、さらに、ユーザ設備からフィードバックされるＣＱＩを基地局の運行中に統計し、統計結果に基づいて上記ＳＩＮＲオフセット量を調整するための調整モジュールを含む。
【００３２】
上記チャネル状態情報処理装置において、さらに、上記ＳＩＮＲオフセット量を外部から受信するためのユニットを含む。
【００３３】
上記目的を実現するために、本発明の実施例において、上記チャネル状態情報フィードバック装置を含むユーザ設備を提供する。
【００３４】
上記目的を実現するために、本発明の実施例において、上記チャネル状態情報処理装置を含む基地局を提供する。
【発明の効果】
【００３５】
本発明の実施例は、以下の有益な効果を有する。
【００３６】
本発明の具体的な実施例において、ユーザ設備側において原始ＳＩＮＲに対して調整を行うことにより、調整して得た目標ＳＩＮＲがＣＱＩテーブル対応ＳＩＮＲ量子化区間内となる可能性を大きくした。目標ＳＩＮＲがＣＱＩテーブル対応ＳＩＮＲ量子化区間内となる際に、基地局側において正確な目標ＳＩＮＲを再構築し、さらに調整量に基づいて正確な原始ＳＩＮＲを再構築することができるので、ＳＩＮＲ再構築の正確度を向上させることができ、基地局による正確な方式でのスケジューリングを可能とし、システム性能を向上させた。
【図面の簡単な説明】
【００３７】
【図１ａ】各ＣＱＩのＳＩＮＲとＢＬＥＲの対応関係を示す図面である。
【図１ｂ】従来のチャネル状態情報フィードバック装置の構造を示す図面である。
【図２ａ】本発明の実施例によるチャネル状態情報フィードバック方法のＵＥ側フローを示す図面である。
【図２ｂ】本発明の実施例によるチャネル状態情報フィードバック方法のＢＳ側フローを示す図面である。
【図３】歴史ＳＩＮＲの累積確率とＣＱＩテーブル対応ＳＩＮＲ量子化区間の調整前、調整後の対応関係を示す図面である。
【図４ａ】本発明の実施例において、異なる伝送状態に対応する複数のＳＩＮＲオフセット量がユーザ設備と基地局の両方に予め格納された場合、基地局とユーザ設備の処理フローを示す図面である。
【図４ｂ】本発明の実施例によるＵＥ側のチャネル状態情報フィードバック装置の構造を示す図面である。
【図４ｃ】本発明の実施例による基地局側のチャネル状態情報処理装置の構造を示す図面である。
【図４ｄ】本発明の実施例によるチャネル状態情報処理装置とフィードバック装置の協働を示す図面である。
【図５】ユーザ設備側に設けられるチャネル状態情報フィードバック装置における調整モジュールの一構造を示す図面である。
【図６】上記ＳＩＮＲオフセット量が基地局によって決められる場合、配信モジュールの各種類の具体的な実現方式の構造を示す図面である。
【図７】上記ＳＩＮＲオフセット量が基地局によって決められる場合、配信モジュールの各種類の具体的な実現方式の構造を示す図面である。
【図８】上記ＳＩＮＲオフセット量が基地局によって決められる場合、配信モジュールの各種類の具体的な実現方式の構造を示す図面である。
【図９】上記ＳＩＮＲオフセット量が基地局によって決められる場合、配信モジュールの各種類の具体的な実現方式の構造を示す図面である。
【発明を実施するための形態】
【００３８】
本発明の実施例によるチャネル状態情報フィードバック、処理方法および装置、並びにユーザ設備、基地局において、原始ＳＩＮＲに対して調整を行うことにより、調整して得た目標ＳＩＮＲがＣＱＩテーブル対応ＳＩＮＲ量子化区間内となる可能性を大きくした。目標ＳＩＮＲがＣＱＩテーブル対応ＳＩＮＲ量子化区間内となる際に、基地局側において正確な目標ＳＩＮＲを再構築し、さらに調整量に基づいて正確な原始ＳＩＮＲを再構築することができ、ＳＩＮＲ再構築の正確度を向上させた。
【００３９】
本発明の実施例をより理解してもらうよう、本発明の実施例について詳細に説明する前に、まずＣＱＩフィードバックに関する基礎知識を簡単に紹介する。
【００４０】
図１ａと図１ｂを参照する。基地局とユーザ設備の両方にＣＱＩテーブルが格納されており、各ＣＱＩに対応する変調方式、コードレートおよび効率が記録されている。
【００４１】
同時に、基地局とユーザ設備には、各ＣＱＩに対応するＢＬＥＲ  ｖｓ  ＳＩＮＲ曲線も格納されている。図１ａに示すように、基地局とユーザ設備に格納されているＣＱＩテーブルは、一つのＳＩＮＲ量子化区間、すなわち図１ａにおける［Ａ，Ｂ］に対応している。
【００４２】
ユーザ側がフィードバックを行うとき、図１ｂに示すように、ユーザはまず原始ＳＩＮＲを取得し、それから対応するＢＬＥＲを取得する。図１ａから分かるように、ＳＩＮＲごとに異なるＣＱＩが採用されるとき、対応するＢＬＥＲが異なってくる。このとき、ＣＱＩテーブルに記録されている効率に基づいて、伝送容量を最大とするＣＱＩを選択する必要がある。
【００４３】
ＳＩＮＲが該範囲を超え、例えば原始ＳＩＮＲがＡよりはるかに小さく、またはＡよりわずかに小さいとき、フィードバックされるＣＱＩがいずれもＣＱＩ０、すなわち一個目のＣＱＩとなり、基地局側において再構築して得るＳＩＮＲもＡになるしかない。したがって、再構築したＳＩＮＲがユーザ設備の実際のＳＩＮＲを正しく反映できないことが生じてしまい、後続のユーザスケジューリングなどに問題が生じることを引き起こし、システム性能が低下する。
【００４４】
本発明の実施例のチャネル状態情報フィードバック方法は、ユーザ設備に用いられる。上記ユーザ設備には、ＳＩＮＲ量子化区間に対応しＳＩＮＲをＣＱＩへマッピングするためのＣＱＩテーブルが予め格納されている。ユーザ設備側から見ると、図２ａに示すように、上記チャネル状態情報フィードバック方法において、下記のステップを含む。
【００４５】
ステップ１１において、参考信号を測定して原始ＳＩＮＲを取得する。
【００４６】
ステップ１２において、上記原始ＳＩＮＲに対して、ＳＩＮＲオフセット量を用いて調整し、目標ＳＩＮＲを得る。
【００４７】
ステップ１３において、目標ＳＩＮＲに対して、上記ＣＱＩテーブルに基づいて量子化をし、第１ＣＱＩを得る。
【００４８】
ステップ１４において、上記第１ＣＱＩを基地局にフィードバックすることにより、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築することを可能とする。
【００４９】
一方、基地局側から見ると、図２ｂに示すように、上記チャネル状態情報処理方法において、下記のステップを含む。
【００５０】
ステップ１５において、ユーザ設備から返信される第１ＣＱＩであって、目標ＳＩＮＲに対して、上記ＣＱＩテーブルに基づいて量子化をして得たものである第１ＣＱＩを受信する。なお、上記目標ＳＩＮＲは、ユーザ設備が、参考信号を測定して取得する原始ＳＩＮＲに対してＳＩＮＲオフセット量を用いて調整して得るものである。
【００５１】
ステップ１６において、上記ＣＱＩテーブルと上記第１ＣＱＩに基づいて再構築して上記目標ＳＩＮＲを得る。
【００５２】
ステップ１７において、再構築して得た目標ＳＩＮＲと上記ＳＩＮＲオフセット量に基づいて、上記原始ＳＩＮＲを再構築して得る。
【００５３】
本発明の具体的な実施例において、基地局側でのＳＩＮＲ再構築の正確性向上を必要となるが、原始ＳＩＮＲが上記ＳＩＮＲ量子化区間内となるとき、それを調整する必要がない。原始ＳＩＮＲが上記ＳＩＮＲ量子化区間外となるときのみ原始ＳＩＮＲを調整し、調整して得た目標ＳＩＮＲを用いてフィードバックを行う。したがって、本発明の実施例によるチャネル状態情報フィードバック方法において、さらに、原始ＳＩＮＲ取得後に、上記原始ＳＩＮＲが上記ＳＩＮＲ量子化区間外となるかを判断して判断結果を取得する工程と、上記原始ＳＩＮＲが上記ＳＩＮＲ量子化区間外となることを上記判断結果によって示す場合、上記目標ＳＩＮＲを得るステップに入るが、逆の場合、直接上記ＣＱＩテーブルに基づいて上記原始ＳＩＮＲに対して量子化し、第２ＣＱＩを得て基地局に返信する工程とを含む。
【００５４】
もちろん、ＳＩＮＲオフセット量は、ユーザ設備によって決められてもよいし、基地局によって決められてもよい。
【００５５】
ＳＩＮＲオフセット量がユーザ設備によって決められる場合、ＳＩＮＲオフセット量を０にセットするかＳＩＮＲオフセット量を持たない方式で基地局に通知する。
【００５６】
ＳＩＮＲオフセット量が基地局によって決められる場合、ユーザ設備が原始ＳＩＮＲに対して調整をしない場合、各種類の既知の基地局−ユーザ設備通知方式を通じて基地局に通知できるが、ここでは詳細に記載しない。
【００５７】
本発明の具体的な実施例において、ユーザ設備側において原始ＳＩＮＲに対して調整を行うことにより、調整後の目標ＳＩＮＲがＣＱＩテーブル対応ＳＩＮＲ量子化区間内となる可能性を大きくした。目標ＳＩＮＲがＣＱＩテーブル対応ＳＩＮＲ量子化区間内となる際に、基地局側において正確な目標ＳＩＮＲを再構築し、さらに調整量に基づいて正確な原始ＳＩＮＲを再構築することができるので、ＳＩＮＲ再構築の正確度を向上させることができ、基地局による正確な方式でのスケジューリングを可能とし、システム性能を向上させる。
【００５８】
本発明の具体的な実施例において、前に言及したように、ＳＩＮＲオフセット量について、ユーザ設備によって決められてもよいし、基地局によって決められてもよい。以下、この２種類の方式についてそれぞれ詳細に説明する。
【００５９】
＜ユーザ設備による確定＞
ユーザ設備によるＳＩＮＲオフセット量確定方式は複数あり、以下そのうちの２種類の考えられる実現方式について説明する。
【００６０】
方式１：直接確定
本発明の実施例において、ＳＩＮＲオフセット量を設ける目的は、ＳＩＮＲオフセット量を利用して原始ＳＩＮＲを調整して得る目標ＳＩＮＲがＣＱＩテーブル対応ＳＩＮＲ量子化区間内となる可能性を高めることにある。
【００６１】
前に言及したように、基地局とユーザ設備の両方には、各ＣＱＩに対応するＢＬＥＲ  ｖｓ  ＳＩＮＲの曲線が格納されている。すなわち、ＣＱＩテーブルに対応するＳＩＮＲ量子化区間は、ユーザ設備自身にとって既知なものであり、ユーザ設備自身がまた必ず測定した原始ＳＩＮＲについて既知している。したがって、ユーザ設備は、簡単な計算を経て、どのぐらい原始ＳＩＮＲについて調整をすれば調整後の目標ＳＩＮＲがＣＱＩテーブル対応ＳＩＮＲ量子化区間内となるか分かる。
【００６２】
以上の理解に基づき、ＳＩＮＲオフセット量がユーザ設備によって決められてよく、かつ、ユーザ設備は、上記目標ＳＩＮＲが上記ＳＩＮＲ量子化区間内となるようにするＳＩＮＲオフセット量を直接確定できる。
【００６３】
基地局がＳＩＮＲオフセット量を用いて原始ＳＩＮＲを再構築するため、ＳＩＮＲオフセット量がユーザ設備によって決められる場合、ユーザ設備が上記第１ＣＱＩを基地局にフィードバックするステップにおいて、上記ＳＩＮＲオフセット量も基地局にフィードバックする必要があり、ユーザ設備からの上記ＳＩＮＲオフセット量が基地局によって受信される。
【００６４】
方式２：参考信号受信品質ＲＳＲＱに基づく確定
以上、ユーザ設備側において、目標ＳＩＮＲが上記ＳＩＮＲ量子化区間内となることを保証する実現方式について説明したが、ユーザ設備側において、参考信号受信品質ＲＳＲＱに基づいてＳＩＮＲオフセット量を確定することもできる。次のように説明する。
【００６５】
参考信号受信電力ＲＳＲＰ（Reference  Signal  Receiving  Power）は、あるシンボル内に参考信号をキャリアする全ＲＥに受信した信号電力の平均値である。
【００６６】
受信信号強度指示ＲＳＳＩ（Received  Signal  Strength  Indicator）は、参考信号をキャリアするシンボル内に受信した全信号（パイロット信号、データ信号、隣接セル干渉信号、雑音信号を含む）電力の平均値である。
【００６７】
参考信号受信品質ＲＳＲＱ（Reference  Signal  Receiving  Quality）は、参考信号受信電力ＲＳＲＰ（Reference  Signal  Receiving  Power）と受信信号強度指示ＲＳＳＩ（Received  Signal  Strength  Indicator）との比であり、ＳＩＮＲの値に関する長期統計量に相当するので、長期統計のＳＩＮＲ取得に用いられる。例えば、ＳＩＮＲ＝ＲＳＲＱ／（１−ＲＳＲＱ）は取得方式の一つである。該長期統計のＳＩＮＲの値は、該ユーザのＳＩＮＲ分布の中心位置であると見なしてよい。
【００６８】
もちろん、本発明の実施例において、従来技術におけるほかの、ＲＳＲＱを用いてＳＩＮＲを算出する方式を利用してＳＩＮＲを取得してよいが、ここでは枚挙しない。
【００６９】
したがって、第２種類の方式において、直接ＲＳＲＱに基づいてＳＩＮＲオフセット量を確定することができる。次のように説明する。
【００７０】
該方式において、上記のＳＩＮＲオフセット量を用いて上記原始ＳＩＮＲを調整して目標ＳＩＮＲを得るステップには、具体的に、ユーザ設備が測定したＲＳＲＱ値を取得して対応するＳＩＮＲの値Ｐを算出する工程と、
0006037870.tif 000002
（Ｘ：上記ＳＩＮＲ量子化区間中心点、Δ１：予めセットしたΔSINR確定用閾値）から条件を満足するＳＩＮＲオフセット量ΔSINRを計算する工程と、上記ΔSINRを用いて上記原始ＳＩＮＲに対して調整をして上記目標ＳＩＮＲを得る工程とを含む。
【００７１】
上記の上記第１ＣＱＩを基地局にフィードバックするステップには、さらに上記ΔSINRを基地局にフィードバックする。
【００７２】
0006037870.tif 000003
について、次のように説明する。
該表現式が表す数学的意味として、ΔSINRを用いて調整した後のＳＩＮＲがＳＩＮＲ量子化区間の中心点付近となることを示す。該Δ１は、必要に応じてセットできる。例えば、ＳＩＮＲ量子化区間長さの５％か１０％にセットしてもよいし、０にセットしてもよい。ただ、あまり大きくならないようにセットするべきである。
【００７３】
Δ１確定後、
0006037870.tif 000004
からΔSINRの区間を確定でき、それから、ΔSINRの区間から一つの値をＳＩＮＲオフセット量として任意に選択すればよい。もちろん、
0006037870.tif 000005
から唯一のＳＩＮＲオフセット量を確定してもよい。
【００７４】
ただし、フィードバックデータ量を低下させるには、上記確定済みのＳＩＮＲオフセット量の整数部を最終的に使用されるＳＩＮＲオフセット量としてもよい。
【００７５】
ＲＳＲＱがＳＩＮＲの長期統計量であり、一般的な場合ではユーザ設備のＳＩＮＲが劇的に変化しないため、ユーザ設備の実際に測定したＳＩＮＲと、ＲＳＲＱから算出した長期統計ＳＩＮＲとの差は、小さいものとなる。
【００７６】
同時に、上記のＳＩＮＲオフセット量により、調整後の、ＲＳＲＱから算出したＳＩＮＲがＳＩＮＲ量子化区間の端点ではなく、中心点付近となるようにすることができるため、冗長保護を提供できる。
【００７７】
以上２点に基づき、上記のＳＩＮＲオフセット量を用いて原始ＳＩＮＲを調整して得た目標ＳＩＮＲは、ＳＩＮＲ量子化区間内となる可能性も大きい。
【００７８】
第１種類の方式に比較して、第２種類方式は、目標ＳＩＮＲがＳＩＮＲ量子化区間内となる可能性を高めた。目標ＳＩＮＲが１００％でＳＩＮＲ量子化区間内となることを保証できないかもしれないが、従来技術の完全に調整しない方式に比較して、ＳＩＮＲ再構築の正確性を大きく向上できる。
【００７９】
＜基地局による確定＞
本発明の具体的な実施例において、上記ＳＩＮＲオフセット量は、基地局によって決められてもよく、上記基地局によって上記ユーザ設備に配信することにより、ユーザ設備がＳＩＮＲオフセット量に基づいて原始ＳＩＮＲを調整して目標ＳＩＮＲを得られるようにする。詳細説明は下記のようになる。
【００８０】
上記ＳＩＮＲオフセット量が基地局によって決められる場合、上記チャネル状態情報処理方法において、さらに、上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにする工程を含む。
【００８１】
基地局によりＳＩＮＲオフセット量を確定する方式は複数あり、以下、そのうちの３種類の考えられる方式について説明する。
【００８２】
方式１：ユーザ設備が測定して得たＲＳＲＱに基づく確定
前に既に言及したように、ＲＳＲＱがＳＩＮＲの長期統計量である。したがって、ユーザ設備がＲＳＲＱに基づいてＳＩＮＲオフセット量を確定することができる。同様に、基地局もＲＳＲＱを用いてＳＩＮＲオフセット量を確定することができる。
【００８３】
このような方式において、基地局が上記ＳＩＮＲオフセット量を上記ユーザ設備に配信することは、具体的に、ユーザ設備が測定したＲＳＲＱの値を取得して対応するＳＩＮＲの値Ｐを算出する工程と、
0006037870.tif 000006
（Ｘ：上記ＳＩＮＲ量子化区間中心点、Δ１：予めセットしたΔSINR確定用閾値）から条件を満足する上記ＳＩＮＲオフセット量ΔSINRを計算する工程と、上記ΔSINRを上記ユーザ設備に配信する工程とを含む。
【００８４】
方式２：ユーザ設備のＳＩＮＲの統計分布に基づく確定
方式１において、単一のユーザ設備について調整を行うが、ユーザ設備ごとに対応するＳＩＮＲオフセット量をそれぞれ配信する必要がある。一方、方式２において、全てのユーザに統一のＳＩＮＲオフセット量を計算する。具体的な説明は下記のようになる。
【００８５】
まず、基地局がオフラインまたはオンラインなどの方式で歴史ＳＩＮＲの累積確率分布を統計する。該累積確率分布には下記の二つの方面の内容が記載されている。
１.歴史ＳＩＮＲ分布区間
２．ＳＩＮＲがｘ（分布区間中の一つの点）より低いユーザが占める割合
【００８６】
以上のデータから、歴史ＳＩＮＲがＣＱＩテーブル対応ＳＩＮＲ量子化区間内となるユーザの割合である第１の比率が分かる。例を挙げて次のように説明する。
【００８７】
図３に示すように、歴史ＳＩＮＲの累積確率分布はブロック付きの一点鎖線によって示されている。歴史ＳＩＮＲ分布区間が［Ａ，Ｂ］であり、ＣＱＩテーブルに対応するＳＩＮＲ量子化区間が［Ｃ，Ｄ］である。すると、歴史ＳＩＮＲがＣＱＩテーブル対応ＳＩＮＲ量子化区間内となるユーザの割合が１−ｙ１である。
【００８８】
仮にＳＩＮＲオフセット量Δ２をセットし、該ＳＩＮＲオフセット量Δ２を用いて歴史ＳＩＮＲに対して調整すると、調整後の歴史ＳＩＮＲの累積確率分布は図３の三角付きの一点鎖線によって示される。このとき、調整後の歴史ＳＩＮＲがＣＱＩテーブル対応ＳＩＮＲ量子化区間内となるユーザの割合がｙ３−ｙ２である。
【００８９】
すると、本発明の具体的な実施例において、（ｙ３−ｙ２）が（１−ｙ１）より大きいであれば、全てのユーザの角度から見ると、該ＳＩＮＲオフセット量Δ２により、より多くのユーザが該ＳＩＮＲオフセット量を用いて調整して得た目標ＳＩＮＲがＣＱＩテーブル対応ＳＩＮＲ量子化区間内となるようにすることができる。すなわち、基地局によるＳＩＮＲ再構築の正確性を向上させることができる。
【００９０】
上記方式において、基地局が上記ＳＩＮＲオフセット量を上記ユーザ設備に配信することは、具体的に、上記ＳＩＮＲオフセット量を確定し、調整前のＳＩＮＲが上記ＳＩＮＲ量子化区間内となるユーザ数を総ユーザ数で割った結果である第１比率が、基地局が上記ＳＩＮＲオフセット量を用いて調整前のＳＩＮＲを調整して得る調整後のＳＩＮＲが上記ＳＩＮＲ量子化区間内となるユーザ数を総ユーザ数で割った結果である第２比率より小さくなるようにする工程と、上記ＳＩＮＲオフセット量を上記ユーザ設備に配信する工程とを含む。
【００９１】
方式３：ユーザ設備からフィードバックされるＣＱＩに基づくリアルタイムでの調整
方式２において、歴史ＳＩＮＲデータに基づいて統計分析を行うが、方式３において、基地局は、ユーザ設備からフィードバックされるＣＱＩを運行中に統計し、統計結果に基づいて上記ＳＩＮＲオフセット量を調整する。
【００９２】
具体的に次のように説明する。
基地局は、一つのＳＩＮＲオフセット量初期値をセットし、現在のＳＩＮＲオフセット量としてユーザ設備に配信する。
【００９３】
ユーザ設備は、ＳＩＮＲオフセット量を受信すると、受信したＳＩＮＲオフセット量を用いて上記原始ＳＩＮＲに対して調整をし、目標ＳＩＮＲを得る。それから目標ＳＩＮＲに対して量子化し、第１ＣＱＩを得てからフィードバックする。
【００９４】
所定時間期間内のあるユーザ設備からフィードバックされるＣＱＩを統計する。
【００９５】
所定時間期間中に、基地局が受信した最小ＣＱＩの数と基地局が受信した全ＣＱＩの数との比率が第１所定閾値（例えば５０%である。もちろん、他の値であってもよく、必要に応じて調整する）を超えた場合、現在のＳＩＮＲオフセット量により、目標ＳＩＮＲがＣＱＩテーブル対応区間内にはならないことを示し、かつ、ユーザ設備のＳＩＮＲが比較的に小さいため、ユーザ設備が最小のＣＱＩしかフィードバックできない。このような場合では、ＳＩＮＲオフセット量を大きくし、大きくした後のＳＩＮＲオフセット量を上記ユーザ設備に配信することにより、上記ユーザ設備が上記原始ＳＩＮＲに上記大きくした後のＳＩＮＲオフセット量を加算して上記目標ＳＩＮＲを得られるようにするべきである。
【００９６】
もちろん、一定時間後に、基地局が受信した最小ＣＱＩの数と基地局が受信した全ＣＱＩの数との比率が依然として第１所定閾値を超えることが分かれば、引き続きＳＩＮＲオフセット量を大きくするが、基地局が受信した最小ＣＱＩの数と基地局が受信した全ＣＱＩの数との比率が第１所定閾値より低くなると、現在のＳＩＮＲオフセット量から変更しない。
【００９７】
所定時間期間中に、基地局が受信した最大ＣＱＩの数と基地局が受信した全ＣＱＩの数との比率が第２所定閾値を超えた場合、現在のＳＩＮＲオフセット量により、目標ＳＩＮＲがＣＱＩテーブル対応区間内にはならないことを示し、かつ、ユーザ設備のＳＩＮＲが比較的に大きい。この場合でも、上記ＳＩＮＲオフセット量を大きくし、大きくした後のＳＩＮＲオフセット量を上記ユーザ設備に配信することで、上記ユーザ設備が上記原始ＳＩＮＲから上記大きくした後のＳＩＮＲオフセット量を減算して上記目標ＳＩＮＲを得られるようにする。
【００９８】
もちろん、具体的な実施例において、どのように原始ＳＩＮＲを調整するか、方向調整を通じてユーザに指示してもよいし、ＳＩＮＲオフセット量のプラスマイナスによって、ユーザ設備が上記原始ＳＩＮＲにＳＩＮＲオフセット量を加算して直接的に目標ＳＩＮＲを得られるようにしてもよい。
【００９９】
方式４：ユーザ設備からフィードバックされるＣＱＩに基づいてリアルタイムでの調整
方式３において、ユーザ設備からフィードバックされるＣＱＩの状況に基づいてリアルタイムでの調整を行うが、方式３において、ユーザ設備側のＳＩＮＲオフセット量に飛躍的な変化が生じる可能性があり、前回はＳＩＮＲオフセット量を加算するが、次回はまたＳＩＮＲオフセット量を減算することとなり、ユーザ設備の処理に不利である。
【０１００】
したがって、方式４において、基地局は、ユーザ設備からフィードバックされるＣＱＩを運行中に統計し、統計結果に基づいて上記ＳＩＮＲオフセット量を調整する。
【０１０１】
基地局は、一つのＳＩＮＲオフセット量初期値をセットし、現在のＳＩＮＲオフセット量としてユーザ設備に配信する。
【０１０２】
ユーザ設備は、ＳＩＮＲオフセット量を受信すると、受信したＳＩＮＲオフセット量を用いて上記原始ＳＩＮＲに対して調整をし、目標ＳＩＮＲを得る。それから目標ＳＩＮＲに対して量子化し、第１ＣＱＩを得てからフィードバックする。
【０１０３】
所定時間期間内のあるユーザ設備からフィードバックされるＣＱＩを統計する。
【０１０４】
所定時間期間中に、基地局が受信した最小ＣＱＩの数と基地局が受信した全ＣＱＩの数との比率が第１所定閾値を超えた場合、上記ＳＩＮＲオフセット量を大きくするが、所定時間期間中に、基地局が受信した最大ＣＱＩの数と基地局が受信した全ＣＱＩの数との比率が第２所定閾値を超えた場合、上記ＳＩＮＲオフセット量を小さくする。
【０１０５】
変更後のＳＩＮＲオフセット量を上記ユーザ設備に配信することにより、上記ユーザ設備が上記原始ＳＩＮＲに上記変更後のＳＩＮＲオフセット量を加算して上記目標ＳＩＮＲを得られるようにする。
【０１０６】
上記方策において、基地局が受信した最小ＣＱＩの数と基地局が受信した全ＣＱＩの数との比率が第１所定閾値（例えば５０%である。もちろん、他の値であってもよく、必要に応じて調整する）を超えた場合を例とした。この場合、現在のＳＩＮＲオフセット量により、目標ＳＩＮＲがＣＱＩテーブル対応区間内にはならないことを示し、かつ、ユーザ設備のＳＩＮＲが比較的に小さいため、ユーザ設備が最小のＣＱＩしかフィードバックできない。
【０１０７】
上記方策の方式３からの相違点として、方式４では、ＳＩＮＲオフセット量がプラスであったりマイナスであり、かつ、変化が次第に増大または減少し、オフセット量が比較的に大きいマイナス値から直接的に比較的に大きいプラス値に飛躍的に変化することはなく、もちろん、比較的に大きいプラス値から直接的に比較的に大きいマイナス値に飛躍的に変化することもない。
【０１０８】
前に言及したように、ＬＴＥ‐Ａには例えばＣｏＭＰ場面、異種ネットワーク場面など多くの場面がある。この場合、異なる場面に異なるＳＩＮＲオフセット量をセットし、現在の場面（伝送状態）に基づいて、対応するＳＩＮＲオフセット量を選択して調整をする。次のように説明する。
【０１０９】
方式１において、ユーザ設備において、異なる伝送状態に対応する複数のＳＩＮＲオフセット量を予め格納してよい。ユーザ設備側から見て、上記チャネル状態情報フィードバック方法において、さらに、一つのＳＩＮＲオフセット量を用いて上記原始ＳＩＮＲに対して調整を行う前に上記ユーザ設備の現在の伝送状態を確定し、上記ユーザ設備の現在の伝送状態に対応するＳＩＮＲオフセット量を上記複数のＳＩＮＲオフセット量から選択する工程と、選択したＳＩＮＲオフセット量を用いて上記原始ＳＩＮＲに対して調整を行う工程とを含む。
【０１１０】
対応的に、ユーザ設備側のチャネル状態情報フィードバック装置には、さらに、一つのＳＩＮＲオフセット量を用いて上記原始ＳＩＮＲに対して調整を行う前に上記ユーザ設備の現在の伝送状態を確定し、上記ユーザ設備の現在の伝送状態に対応するＳＩＮＲオフセット量を上記複数のＳＩＮＲオフセット量から選択するための第１選択モジュールを含む。
【０１１１】
上記調整モジュールは、具体的に選択したＳＩＮＲオフセット量を用いて上記原始ＳＩＮＲに対して調整を行うことに用いられる。
【０１１２】
方式２において、基地局において、異なる伝送状態に対応する複数のＳＩＮＲオフセット量を予め格納してよい。基地局側から見て、上記チャネル状態情報処理方法において、さらに、上記ＳＩＮＲオフセット量を上記ユーザ設備に配信する前にユーザ設備の現在の伝送状態を確定し、上記ユーザ設備の現在の伝送状態に対応するＳＩＮＲオフセット量を上記複数のＳＩＮＲオフセット量から選択する工程と、基地局が選択したＳＩＮＲオフセット量をユーザ設備に配信する工程とを含む。
【０１１３】
対応的に、基地局側の上記チャネル状態情報処理装置には、さらに、上記ＳＩＮＲオフセット量を上記ユーザ設備に配信する前にユーザ設備の現在の伝送状態を確定し、上記ユーザ設備の現在の伝送状態に対応するＳＩＮＲオフセット量を上記複数のＳＩＮＲオフセット量から選択するための第２選択モジュールを含む。
【０１１４】
上記配信モジュールは、具体的に第２選択モジュールが選択したＳＩＮＲオフセット量の配信に用いられる。
【０１１５】
もちろん、ユーザ設備と基地局の両方において、異なる伝送状態に対応する複数のＳＩＮＲオフセット量を予め格納してよい。すると、基地局は、ユーザ設備の現在の伝送状態を確定してからユーザ設備に通知すればよいが、ユーザ設備は、現在の伝送状態がわかると、対応するＳＩＮＲオフセット量を選択して調整をすればよい。ユーザ設備と基地局の両方にＳＩＮＲオフセット量が予め格納されているため、この場合、基地局に通知する必要がない。
【０１１６】
仮にＣＱＩ量子化テーブルのカバー範囲を［Ａ，Ｂ］とする。たとえば、ＬＴＥシステムでは、［−３，２７］ｄＢである。
【０１１７】
ＣｏＭＰの場合を例とし、仮にユーザ設備と基地局の両方において、異なる伝送状態に対応する複数のＳＩＮＲオフセット量が予め格納されているとする。図４ａに示すように、仮に配置可能なＳＩＮＲオフセット量がｘ１、ｘ２、ｘ３とし、それぞれシングルセル伝送のオフセット量、ＣｏＭＰサービスセルのオフセット量およびＣｏＭＰ協調セルのオフセット量に対応する。すると、シングルセル伝送時に、基地局とユーザ設備はともにｘ１を選択してＳＩＮＲを調整する。ユーザ設備がサービスセルのＳＩＮＲをフィードバックする際に、ｘ２を用いてＳＩＮＲを調整する。ユーザ設備が協調セルのＳＩＮＲをフィードバックする際に、ｘ３を用いてＳＩＮＲを調整する。
【０１１８】
図４ｂに示すように、本発明の実施例によるチャネル状態情報フィードバック装置は、ユーザ設備側に設置される。上記ユーザ設備には、ＳＩＮＲ量子化区間に対応しＳＩＮＲをＣＱＩへマッピングするためのＣＱＩテーブルが予め格納されている。図４ｂに示すように、本発明の実施例によるユーザ設備側に設置されるチャネル状態情報フィードバック装置において、参考信号を測定して原始ＳＩＮＲを取得するための第１測定モジュールと、上記原始ＳＩＮＲに対して、ＳＩＮＲオフセット量を用いて調整し、目標ＳＩＮＲを得るための調整モジュールと、目標ＳＩＮＲに対して、上記ＣＱＩテーブルに基づいて量子化をし、第１ＣＱＩを得るための量子化モジュールと、上記第１ＣＱＩを基地局にフィードバックすることにより、基地局が上記第１ＣＱＩに基づいて上記目標ＳＩＮＲを再構築し、再構築して得た目標ＳＩＮＲおよび上記ＳＩＮＲオフセット量に基づいて上記原始ＳＩＮＲを再構築できるようにするためのフィードバックモジュールとを含む。
【０１１９】
一方、本発明の実施例による基地局側に設置されるチャネル状態情報処理装置において、図４ｃに示すように、ユーザ設備から返信される第１ＣＱＩであって、ユーザ設備が、参考信号を測定して取得する原始ＳＩＮＲに対してＳＩＮＲオフセット量を用いて調整して得る目標ＳＩＮＲに対して、上記ＣＱＩテーブルに基づいて量子化をして得たものである第１ＣＱＩを受信するための第１受信モジュールと、上記ＣＱＩテーブルと上記第１ＣＱＩに基づいて再構築して上記目標ＳＩＮＲを得るための第１再構築モジュールと、再構築して得た目標ＳＩＮＲと上記ＳＩＮＲオフセット量に基づいて、上記原始ＳＩＮＲを再構築して得るための第２再構築モジュールとを含む。
【０１２０】
基地局側のチャネル状態情報処理装置とユーザ設備側のチャネル状態情報フィードバック装置の協働図は、図４ｄに示されている。
【０１２１】
上記ＳＩＮＲオフセット量は、ユーザ設備によって決められ、かつ、上記目標ＳＩＮＲが上記ＳＩＮＲ量子化区間内となるようにする。上記フィードバックモジュールは、さらに上記ＳＩＮＲオフセット量を基地局にフィードバックする。
【０１２２】
上記ＳＩＮＲオフセット量ΔSINR1は、ユーザ設備によって決められてよい。ユーザ設備側に設置されるチャネル状態情報フィードバック装置における調整モジュールは、図５に示すように、具体的に、取得ユニット、第１オフセット量確定ユニット、および第１調整ユニットを含む。
【０１２３】
取得ユニットは、ユーザ設備が測定したＲＳＲＱの値を取得して対応するＳＩＮＲの値Ｐを算出する。
【０１２４】
第１オフセット量確定ユニットは、
0006037870.tif 000007
から条件を満足するＳＩＮＲオフセット量ΔSINRを計算する。Ｘは、上記ＳＩＮＲ量子化区間中心点であり、Δ１は、予めセットしたΔSINR確定用の閾値である。
【０１２５】
第１調整ユニットは、上記ΔSINRを用いて上記原始ＳＩＮＲに対して調整をして上記目標ＳＩＮＲを得る。
【０１２６】
上記フィードバックモジュールは、さらに上記ΔSINRを基地局にフィードバックする。
【０１２７】
ユーザ設備側に設置されるチャネル状態情報フィードバック装置は、さらに判断モジュールおよびトリガーモジュールを含む。
【０１２８】
判断モジュールは、原始ＳＩＮＲの取得後に、上記原始ＳＩＮＲが上記ＳＩＮＲ量子化区間外となるかを判断し、判断結果を取得する。
【０１２９】
トリガーモジュールは、上記原始ＳＩＮＲが上記ＳＩＮＲ量子化区間外となることを上記判断結果によって示す場合、上記調整モジュールをトリガーする。逆の場合、直接上記ＣＱＩテーブルに基づいて上記原始ＳＩＮＲに対して量子化をし、第２ＣＱＩを得てから基地局に返信する。
【０１３０】
上記ＳＩＮＲオフセット量は、基地局によって決められ、上記基地局によって上記ユーザ設備に配信されてもよい。
【０１３１】
上記ＳＩＮＲオフセット量がユーザ設備によって決められる場合、基地局側に設置されるチャネル状態情報処理装置は、さらにユーザ設備から返信される上記ＳＩＮＲオフセット量を受信するための第２受信モジュールを含む。
【０１３２】
上記ＳＩＮＲオフセット量は、基地局によって決められ、基地局側に設置されるチャネル状態情報処理装置は、さらに、上記ＳＩＮＲオフセット量を上記ユーザ設備に配信することにより、上記ユーザ設備が上記ＳＩＮＲオフセット量を用いて上記原始ＳＩＮＲを調整して上記目標ＳＩＮＲを得られるようにするための配信モジュールを含む。
【０１３３】
上記配信モジュールの一実現方式は、次のように示されている。図６に示すように、測定値取得ユニット、第２オフセット量確定ユニット、および第１配信ユニットを含む。
【０１３４】
測定値取得ユニットは、ユーザ設備が測定したＲＳＲＱの値を取得して対応するＳＩＮＲ値のＰを算出する。
【０１３５】
第２オフセット量確定ユニットは、
0006037870.tif 000008
から条件を満足する上記ＳＩＮＲオフセット量ΔSINRを計算する。Ｘは、上記ＳＩＮＲ量子化区間中心点であり、Δ１は、予めセットしたΔSINR確定用の閾値である。
【０１３６】
第１配信ユニットは、上記ΔSINRを上記ユーザ設備に配信する。
【０１３７】
上記配信モジュールの別の実現方式は、次のように示されている。図７に示すように、上記配信モジュールは、具体的に第３オフセット量確定ユニットおよび第２配信ユニットを含む。
【０１３８】
第３オフセット量確定ユニットは、第２の比率より第１の比率が小さくなるように、上記ＳＩＮＲオフセット量を確定する。ここで、第１の比率は、調整前のＳＩＮＲが上記ＳＩＮＲ量子化区間内となるユーザ数を総ユーザ数で割った結果であり、第２の比率は、調整後のＳＩＮＲが上記ＳＩＮＲ量子化区間内となるユーザ数を総ユーザ数で割った結果であり、調整後のＳＩＮＲは、基地局が上記ＳＩＮＲオフセット量を用いて調整前のＳＩＮＲを調整して得るものである。
【０１３９】
第２配信ユニットは、上記ＳＩＮＲオフセット量を上記ユーザ設備に配信する。
【０１４０】
上記配信モジュールは、ユーザ設備からフィードバックされるＣＱＩを基地局の運行中に統計し、統計結果に基づいて上記ＳＩＮＲオフセット量を調整するための調整モジュールを含んでよい。
【０１４１】
上記配信モジュールのまた別の実現方式は、次のように示されている。図８に示すように、上記配信モジュールは、具体的に統計ユニット、第３配信ユニットおよび第４配信ユニットを含む。
【０１４２】
統計ユニットは、上記基地局の運行中に、ユーザ設備からフィードバックされるＣＱＩを統計する。
【０１４３】
第３配信ユニットは、所定時間期間中に、基地局が受信した最小ＣＱＩの数と基地局が受信した全ＣＱＩの数との比率が第１所定閾値を超えた場合、上記ＳＩＮＲオフセット量を大きくし、大きくした後のＳＩＮＲオフセット量を上記ユーザ設備に配信することにより、上記ユーザ設備が上記原始ＳＩＮＲに上記大きくした後のＳＩＮＲオフセット量を加算して上記目標ＳＩＮＲを得られるようにする。
【０１４４】
第４配信ユニットは、所定時間期間中に、基地局が受信した最大ＣＱＩの数と基地局が受信した全ＣＱＩの数との比率が第２所定閾値を超えた場合、上記ＳＩＮＲオフセット量を大きくし、大きくした後のＳＩＮＲオフセット量を上記ユーザ設備に配信することにより、上記ユーザ設備が上記原始ＳＩＮＲから上記大きくした後のＳＩＮＲオフセット量を減算して上記目標ＳＩＮＲを得られるようにする。
【０１４５】
上記配信モジュールのまた別の実現方式は、図９に示されている。
【０１４６】
該調整モジュールの具体的な実現方式は、次のようになる。
【０１４７】
統計ユニットは、上記基地局の運行中に、ユーザ設備からフィードバックされるＣＱＩを統計する。
【０１４８】
第４オフセット量確定ユニットは、所定時間期間中に、基地局が受信した最小ＣＱＩの数と基地局が受信した全ＣＱＩの数との比率が第１所定閾値を超えた場合、上記ＳＩＮＲオフセット量を大きくするが、所定時間期間中に、基地局が受信した最大ＣＱＩの数と基地局が受信した全ＣＱＩの数との比率が第２所定閾値を超えた場合、上記ＳＩＮＲオフセット量を小さくする。
【０１４９】
第５配信ユニットは、変更後のＳＩＮＲオフセット量を上記ユーザ設備に配信することにより、上記ユーザ設備が上記原始ＳＩＮＲに上記変更後のＳＩＮＲオフセット量を加算して上記目標ＳＩＮＲを得られるようにする。
【０１５０】
本発明の実施例は、上記のユーザ設備側に設置されるチャネル状態情報フォードバック装置を含むユーザ設備をさらに提供する。
【０１５１】
本発明の実施例は、上記の基地局側に設置されるチャネル状態情報処理装置を含む基地局をさらに提供する。
【０１５２】
以上の記載は、本発明の好ましい実施形態に過ぎない。指摘すべきこととして、当該技術分野の一般的な技術者にとって、本発明の原理を背離しない前提では、いくつかの改良と修飾をすることもできるが、これらの改良と修飾も本発明の保護範囲内に見なされるべきである。
【図１ａ】
0006037870.tif 000009
【図１ｂ】
0006037870.tif 000010
【図２ａ】
0006037870.tif 000011
【図２ｂ】
0006037870.tif 000012
【図３】
0006037870.tif 000013
【図４ａ】
0006037870.tif 000014
【図４ｂ】
0006037870.tif 000015
【図４ｃ】
0006037870.tif 000016
【図４ｄ】
0006037870.tif 000017
【図５】
0006037870.tif 000018
【図６】
0006037870.tif 000019
【図７】
0006037870.tif 000020
【図８】
0006037870.tif 000021
【図９】
0006037870.tif 000022